(57)【特許請求の範囲】
【請求項１】
内部に燃料通路を有する一体構造のパイプタイプで外壁面が平坦状の可撓性のアブソーブ面を備えた連通管と、一端を連通管に接続して燃料通路に連通すると共に噴射ノズルを接続するためのソケットとを備えたフューエルデリバリイパイプに於いて、連通管を幅方向又は厚さ方向からプレス加工により押圧して成形凹部を形成するとともに、この成形凹部に対応する位置に成形凸部を形成したことを特徴とするフューエルデリバリイパイプ。
【請求項２】
連通管へのプレス加工による押圧によって形成した成形凹部は、連通管のエンジンへの取付時に連通管に設置したブラケットへのねじ部品締結時に於ける工具の作動を可能とするものであることを特徴とする請求項１のフューエルデリバリイパイプ。
【請求項３】
連通管へのプレス加工による押圧によって形成した成形凹部は、連通管のエンジンへの取付時に、エンジン部品との干渉を避ける事を可能にするものであることを特徴とする請求項１のフューエルデリバリイパイプ。
【発明の詳細な説明】
【技術分野】
【０００１】
本発明は、電子燃料噴射式自動車用エンジン等の燃料タンク内の燃料加圧ポンプから送給された燃料を、エンジンの各吸気通路又は各気筒内に直接インジェクターを介して供給するためのフューエルデリバリイパイプに係るもので、エンジンに取り付けるに際してエンジン部品等の他の部品との干渉を回避すると共に、フューエルデリバリイパイプを取り付ける際の工具取り扱いスペースを確保することを可能とするものである。
【背景技術】
【０００２】
従来、複数のインジェクターを設けてエンジンの複数の気筒にガソリン等の燃料を供給するフューエルデリバリイパイプが知られている。このフューエルデリバリイパイプは、床下配管を介して燃料タンクから供給された燃料を、複数のインジェクターから順次、エンジンの複数の吸気管又は気筒内に噴射し、この燃料を空気と混合し、この混合気を燃焼させる事によってエンジンの出力を発生させている。
【０００３】
そして、このフューエルデリバリイパイプはエンジン本体や吸気多岐管等に直接取付け固定するものであるため、何らの加工を加えない直管状である場合(特にアブソーブ面を有して断面形状が扁平状の管の場合)には、エンジン本体や他のエンジン部品との間で設置に於ける干渉が発生する場合が多い。また、パイプ自身と干渉を生じて取り付けに於ける工具の取り扱いスペースを確保できない場合もある。そこで従来は、このような工具の取り扱いスペースの確保や、他の部材との干渉を回避するため、フューエルデリバリイパイプの長手方向に対し直管状の断面形状をもつパイプタイプのフューエルデリバリイパイプではなく、特許文献１又は図１１、１２に示すごとく、板金プレス製の合わせ箱形式により、工具取り扱いスペースや他の部材との干渉を回避するための成形凹部(２３)を成形したものが知られている。
【０００４】
この板金プレス製の合わせ箱形式は、断面コ字型の外側枠体(２０)内に、同じく断面コ字型で外側枠体(２０)よりも小型の内側枠体(２１)を挿入嵌合することによりレール本体(２２)を形成し、この外側枠体(２０)と内側枠体(２１)との接触部全面をろう付けにより固定するものである。この方式は、板金プレス成形時に外側枠体(２０)と内側枠体(２１)との合わせ箱形の２つの部品を２組の金型群によって各々の成形時に成形凹部(２３)を成形するものである。また、図１１、１２に示す従来例では外側枠体(２０)の外面にブラケット(２４)とインジェクターを設置するためのソケット(２５)配置している。
【特許文献１】特開平９−１７０５１６号公報
【発明の開示】
【発明が解決しようとする課題】
【０００５】
しかしながら、上記の従来方法では合わせ箱の２部品に対応して多数のプレス工程用で多くの型が組み合わされた金型群が２組必要であるとともに２部品の合わせ部の全長にわたって大きな面積でのろう付けが必要となり、高価で重いろう材を大量に必要とし製品単価を高いものとすると共に製品の重量を増加する欠点を有している。また、この全長に渡る長い鑞付け部分は漏れを発生させる危険性があり、燃料漏れを確実に防止するためには鑞付け部分の全長に渡ってリークテストが必要となり、このテストに多くの工数と経費を必要とするため製品単価を更に高価なものとする欠点を有している。
【０００６】
そこで、本発明は、一体構造のパイプタイプの連通管を、プレス加工により押圧して成形凹部を形成することにより、連通管のエンジンへの取付に於いてエンジンの構成部品等の他部品との干渉回避と、フューエルデリバリイパイプ自身との干渉を防止してエンジン等に取り付ける際の工具取り扱いスペースを確保することを可能にするものである。また、連通管の成形に大きな面積で周長の長いろう付けを不要とし、リークテストの工数を低減して廉価でしかも信頼性の高いフューエルデリバリイパイプを得ようとするものである。
【課題を解決するための手段】
【０００７】
本発明は上述の如き課題を解決するため、内部に燃料通路を有する一体構造のパイプタイプで外壁面が平坦状の可撓性のアブソーブ面を備えた連通管と、一端を連通管に接続して燃料通路に連通すると共に噴射ノズルを接続するためのソケットとを備えたフューエルデリバリイパイプに於いて、連通管を幅方向又は厚さ方向からプレス加工により押圧して成形凹部を形成するとともに、この成形凹部に対応する位置に成形凸部を形成して成るものである。
【０００８】
また、連通管へのプレス加工による押圧によって形成した成形凹部は、連通管のエンジンへの取付時に連通管に設置したブラケットへのねじ部品締結時に於ける工具の作動を可能とするものであっても良い。
【０００９】
また、連通管へのプレス加工による押圧によって形成した成形凹部は、連通管のエンジンへの取付時に、エンジン部品との干渉を避ける事を可能にするものであっても良い。
【発明の効果】
【００１０】
本発明は上述の如く構成したものであり、一体構造のパイプタイプの連通管のアブソーブ面を幅方向又は厚さ方向からプレス加工により押圧して成形凹部を形成することにより、一つの部品による一体構造の連通管の形成が可能となり、多数のプレス工程用で多くの型が組み合わされた金型群は全く必要ではなく高価で重いろう材を使用した広い面積でのろう付け作業を不要とするから、合わせ箱形による連通管の成形に比較し廉価で軽量な製品を得ることを可能とする。また、長い距離のろう付け作業を不要とすることからろう付け部のリークテスト等の工程も不要となるか極めて少ないものとなるから、製品を廉価なものとするとともに燃料漏れ等に対する製品の信頼性を向上することが可能となる。
【実施例１】
【００１１】
以下、本発明のフューエルデリバリイパイプの実施例１を図１に於いて詳細に説明すれば、(１)は連通管で、内部に燃料通路(９)を設けた一体構造のパイプタイプの素管を、外面から押圧して平坦状の可撓性を有するアブソーブ面(２)を形成している。また、このアブソーブ面(２)は一体構造のパイプタイプの素管の製造時に予め形成したものを連通管(１)として採用するものであってもよい。このアブソーブ面(２)を幅方向からプレス加工により押圧して幅方向の成形凹部(３)を形成している。このアブソーブ面(２)を幅方向からプレス加工により押圧して形成した成形凹部(３)と垂直に交差する連通管(１)の側面に、ボルト挿通用のボルト孔(４)を設けたブラケット(５)をろう付け等により設置している。連通管(１)をブラケット(５)を介し、ボルト、ナット等を締結することによりエンジンに取り付ける際には、成形凹部(３)に工具(図示せず)を挿入配置可能なように連通管と工具の干渉を防止して、この工具取り扱いスペースを確保するものである。また、連通管(１)のブラケット(５)取り付け側の面には、インジェクター(図示せず)を取り付ける為のソケット(６)を複数個設置している。
【００１２】
また、連通管(１)に形成する成形凹部(３)は、連通管(１)をブラケット(５)を介してエンジンに取り付ける為の工具取り扱いスペースを確保するもののみではなく、エンジン部品等の部材との干渉を避ける為に使用することもできる。実施例１では図１に示す如く、工具取り扱いスペース確保用の成形凹部(３)を２個形成し、この２個の成形凹部(３)のほぼ中間で連通管(１)の幅方向の側面に、エンジン部品等の部材の干渉を避ける為の成形凹部(３)を形成している。
【００１３】
また、図中(７)は成形凸部で、成形凹部(３)の形成に対応して連通管(１)の対応する位置に形成されるものである。これらの成形凸部(７)及び成形凹部(３)は、燃料噴射に伴って発生する圧力脈動の吸収部としてのアブソーブ面(２)に形成されるものであるから、アブソーブ面(２)が一様な平面ではなくなるが、燃料インジェクター開閉時の、往復運動を行うスプールの着座音(衝撃波)の伝達、伝播を抑制することは可能である。また、このスプールの着座音(衝撃波)の放射方向を成形凸部(７)及び成形凹部(３)によって分散することにより異音を低減させることが可能となる。
【実施例２】
【００１４】
上記実施例１では、連通管(１)に工具取り扱いスペースを確保する為の成形凹部(３)とエンジン部品等の部材の干渉を避ける為の成形凹部(３)とを形成しているが、連通管(１)の取り付け状態に於いて、エンジン部品との干渉が生じない場合には、図２に示すごとく、連通管(１)の幅方向に工具取り扱いスペースを確保する為の成形凹部(３)のみを形成するものとしてもよい。この場合、成形凹部(３)の形成は、エンジンへの取り付けにおける工具取り扱いスペースの確保を主目的としたものであって、アブソーブ面(２)の面積を多く確保することによって、燃料噴射に伴って発生する圧力脈動の吸収能を高めることが可能となる。
【実施例３】
【００１５】
また、前記の各実施例では、連通管(１)の幅方向からプレス加工による押圧力を加えて連通管(１)の幅方向に成形凹部(３)を形成するものとしているが、実施例３では図３、図４に示すごとく、扁平状の連通管(１)の厚み方向にプレス加工による押圧力を加えて成形凹部(３)を形成し、この成形凹部(３)と垂直に交差する幅方向の面にブラケット(５)を取付装着している。この場合も、エンジンへの取り付けにおける工具取り扱いスペースの確保を主目的としたものであって、アブソーブ面(２)の面積を多く確保することによって、燃料噴射に伴って発生する圧力脈動の吸収能を高めることが可能となる。また、上記の成形凹部(３)に対応する位置の連通管(１)の幅方向面には、成形凹部(３)の形成に対応する成型凸部(７)が形成されている。
【実施例４】
【００１６】
また、上記の各実施例では連通管(１)の素材として、予め平坦なアブソーブ面(２)を形成したものを用いているため、幅方向のアブソーブ面(２)を平坦なものとしているが、実施例４では連通管(１)に円形パイプを使用している。そして、この円形パイプで形成した連通管(１)を図５に示すごとく、側面からプレス加工することによりアブソーブ面(２)として、又エンジン部品等の部材との干渉防止用として成形凹部(３)を形成する。このアブソーブ面(２)としての成形凹部(３)を内側弧状に湾曲させるドッグボーンタイプのものとしている。また、このドッグボーンタイプのアブソーブ面(２)としての成形凹部(３)の形成に対応して連通管(１)の対応する位置に成形凸部(７)が形成される。また、ブラケット(５)の接続部(８)のみは、プレスによる押圧を行わず円形パイプ部分をそのまま未加工で残存させる。そして、この接続部(８)にブラケット(５)の一端をＵ字型に巻き付け、アブソーブ面(２)と垂直に突出することにより、ブラケット(５)の連通管(１)への取り付け強度を増強している。この実施例は成形凹部(３)の成形によって形成されたアブソーブ面(２)の作用によって、燃料噴射に伴って発生する圧力脈動を吸収させると共にエンジン部品等の部材との干渉防止を主目的としたものである。
【図面の簡単な説明】
【００１７】
【図１】本発明の実施例１のフューエルデリバリイパイプの斜視図。
【図２】本発明の実施例２のフューエルデリバリイパイプの斜視図。
【図３】本発明の実施例３のフューエルデリバリイパイプの斜視図。
【図４】図３のブラケット及びソケットを省略した連通管部分のＡ−Ａ線拡大断面図。
【図５】本発明の実施例４のフューエルデリバリイパイプの斜視図。
【図６】従来公知例のフューエルデリバリイパイプの斜視図。
【図７】図６のブラケット部分の拡大断面図。
【符号の説明】
【００１８】
１  連通管
２  アブソーブ面
３  成形凹部
４  ボルト孔
５  ブラケット
６  ソケット
７  成形凸部
９  燃料通路
【図１】
0004574446.tif 000002
【図２】
0004574446.tif 000003
【図３】
0004574446.tif 000004
【図４】
0004574446.tif 000005
【図５】
0004574446.tif 000006
【図６】
0004574446.tif 000007
【図７】
0004574446.tif 000008